(57)【要約】      （修正有）【課題】特に使用者の利き手に応じて気動工具の正逆回転を簡単に且つ安全に切替えることができる正逆切替装置を提供する。【解決手段】気動工具の正逆切替装置における切替バー２０は、一側に開口を有し、着脱可能に正逆回転弁に結合され、速度調整仕組みは、切替仕組みに結合され、調整ボタン３０を備え、トリガ仕組みは、連結軸と、引き金と、弾性部材を有し、連結軸が正逆回転弁及び速度調整仕組みを貫いて調整ボタンの前側から突出し、引き金５０は、調整ボタン前側に位置するように連結軸に結合され、弾性部材は、両端が調整ボタン及び引き金に当接するように連結軸に環装され、使用者がスイッチ棒部２２を回せば、回転方向を自由に切替ると共に、調整ボタンによって弾性部材を押圧すれば、切替バーが開口による正逆回転弁から解放され、使用者の利き手に応じて切替バーの位置を変更することができる。【選択図】図１
0003206919.tif 000002
【実用新案登録請求の範囲】
【請求項１】
中空状を呈するチューブであり、後端近傍の外周面に中空状の内部まで貫通するバルブ穴が形成されると共に、先端の外周面に係止部が軸方向に凸設される正逆回転弁と、前記正逆回転弁に着脱可能に結合され、係止爪部及びスイッチ棒部を備え、該係止爪部が前記係止部に係合されると共に、開口を有し、係止爪部における、前記正逆回転弁と反対する側に該開口と連通する係合凹溝が凹設され、前記係合凹溝と開口とが環状の構造となっており、該スイッチ棒部が、係止爪部の外周面における、前記開口と反対する側に延設される、切替バーとを備える、切替仕組みと、
前記切替仕組みに結合され、回転可能且つ軸方向に摺動可能な調整ボタンを有し、該調整ボタンが環装管及び回転盤を備え、そのうち、環装管が前記係止部から正逆回転弁に挿し込まれ、前記環装管の外端が係止部から突出して係止爪部の前側まで延出し、前記回転盤が、前記係止爪部の前側に位置するように前記環装管の外端の外周面に設けられ、該回転盤における係止爪部側に環状の係止環部が軸方向に凸設され、該係止環部が、前記係合凹溝及び開口に嵌め込まれるように前記係止爪部の外周縁の近傍に環装され、該回転盤が前記係止部及び係止爪部と隣接するように配置される、速度調整仕組みと、
前記切替仕組み及び速度調整仕組みに結合され、連結軸と、引き金と、弾性部材を有し、そのうち、該連結軸が前記正逆回転弁及び前記環装管を貫いてその外端が前記回転盤の前側から突出し、該引き金は、前記調整ボタンの前側に位置するように前記連結軸の外端に結合され、該引き金と調整ボタンの前記回転盤との間には間隙を有し、該弾性部材は、一端が前記回転盤に当接されると共に、他端が前記引き金に当接されるように、前記連結軸の調整ボタンから露出した部分に環装され、また、前記弾性部材により、前記引き金と調整ボタンの回転盤との間に前記間隙を保持すると共に、前記回転盤が係止爪部に押圧されて、前記回転盤の係止環部が前記係止爪部の係合凹溝及び開口に嵌め込まれるトリガ仕組みと、を有することを特徴とする気動工具の正逆切替装置。
【請求項２】
前記係止部は、多辺形の中空座体であり、その外周面に複数の係止凹面が形成され、
前記係止爪部の正逆回転弁側に前記係止部の複数の係止凹面のうちの２つに係止される２つの係止面が設けられることを特徴とする請求項１に記載の気動工具の正逆切替装置。
【請求項３】
前記正逆回転弁の外周面における係止部と隣接する箇所に保持構造が設けられ、該保持構造は、収容突起及びボールを備え、そのうち収容突起は、前記正逆回転弁の内部と連通するように前記正逆回転弁の外周面に径方向に凸設され、前記ボールは、一部が前記正逆回転弁の内部から突出するように前記収容突起に設置され、
前記環装管における前記正逆回転弁に挿し込まれた部分の外周面に少なくとも２つのボール溝部が間隔をおいて軸方向に凹設され、前記保持構造のボールが、該ボール溝部のうちの１つに係止されて環装管に結合され、また、該環装管がボール溝部に沿って正逆回転弁に対して軸方向に摺動することを特徴とする請求項２に記載の気動工具の正逆切替装置。
【請求項４】
前記切替バーにおける係止爪部の２つの自由端にそれぞれ、係止部の係止凹面のうちの１つに同時に当接される当接縁部が凸設され、前記係止爪部と係止部との係止構造を強化して前記切替バーを正逆回転弁に強固に係止させることを特徴とする請求項３に記載の気動工具の正逆切替装置。
【請求項５】
前記正逆回転弁の外周面における、保持構造の近傍に挿設凹部が凹設され、気動工具の位置決めピンが前記挿設凹部に挿し込まれて正逆回転弁を気動工具に固定させることを特徴とする請求項４に記載の気動工具の正逆切替装置。
【請求項６】
前記回転盤における、係止環部と反対する側に回転スピードを表示する複数の数字符号が付され、前記回転盤の外周面に複数の滑り止めリブが間隔をおいて凸設され、それらの滑り止めリブにより前記回転盤を回転しやすくすることを特徴とする請求項５に記載の気動工具の正逆切替装置。
【請求項７】
前記回転盤における、係止環部と反対する側に、且つ、前記環装管の外端の周囲に位置するように環装凹部が凹設され、
前記弾性部材は、一端が前記環装凹部に嵌め込まれるように、前記連結軸の前記調整ボタンから露出した部分に環装されることを特徴とする請求項６に記載の気動工具の正逆切替装置。
【請求項８】
前記引き金が固定栓により前記連結軸の外端に組み合わされることを特徴とする請求項７に記載の気動工具の正逆切替装置。
【請求項９】
前記切替バーにおける係止爪部の２つの自由端にそれぞれ、係止部の係止凹面のうちの１つに同時に当接される当接縁部が凸設され、前記係止爪部と係止部との係止構造を強化して前記切替バーを正逆回転弁に強固に係止させることを特徴とする請求項２に記載の気動工具の正逆切替装置。
【請求項１０】
前記回転盤における、係止環部と反対する側に、且つ、前記環装管の外端の周囲に位置するように環装凹部が凹設され、
前記弾性部材は、一端が前記環装凹部に嵌め込まれるように、前記連結軸の前記調整ボタンから露出した部分に環装されることを特徴とする請求項１または２に記載の気動工具の正逆切替装置。
【考案の詳細な説明】
【技術分野】
【０００１】
本考案は、特に使用者の利き手に応じて気動工具の正逆回転を簡単に且つ安全に切替えることができる正逆切替装置に関するものである。
【背景技術】
【０００２】
従来の気動工具の正逆切替装置は、例えば、台湾特許第Ｉ２６６６７９号に開示されるように、気動工具のグリップに正逆回転弁と、切替バーと、調整ボタンと、連結軸と、引き金と、弾性部材が組み立てられ、そのうち、正逆回転弁は、回転可能に気動工具の空気進入路に取り付けられ、その中心部分に貫通穴が形成されると共に、その内端に通気穴が形成され、その外端が前記グリップから突出するように位置決め部が設けられ、前記切替バーは、装着部及びスイッチ部を備え、該装着部は、前記正逆回転弁の外端に結合されると共に、前記位置決め部に係止される係止部が設けられ、前記スイッチ部は、グリップの一側へ延設され、前記連結軸は、前記正逆回転弁の貫通穴に貫設され、その内端に前記正逆回転弁の内端に位置決められる止め部が設けられ、該止め部によって連結軸を外部へ摺動させて脱落を防止し、また、前記連結軸の外端に外部へ突出する組立端が設けられ、前記引き金は、前記連結軸の組立端に結合され、前記調整ボタンは、回転可能且つ摺動可能に前記正逆回転弁の前記貫通穴に取り付けられ、前記弾性部材は、前記調整ボタンと引き金との間に取り付けられる。
【０００３】
上述した構造によれば、右利きの使用者の場合、気動工具を操作する時、右手でグリップを握持し、右手の親指で前記切替バーを回せば、前記正逆回転弁を気動工具の正回転（時計回り）また逆回転（反時計回り）に自由に切替えることができる。一方、左利きの使用者の場合は、まず前記調整ボタンを引き金へ摺動させて前記弾性部材を押圧することにより、前記切替バーと正逆回転弁との間に所定の間隔をおいて、前記切替バーの係止部が前記正逆回転弁の位置決め部から離間し、次に、該切替バーを前記正逆回転弁に対して回転させて前記切替バーのスイッチ部をグリップの他側に移動させると、左手の親指で前記スイッチ部を回して気動工具の正逆回転を調整することができる。
【考案の概要】
【考案が解決しようとする課題】
【０００４】
従来の気動工具の正逆切替装置は、右利きまたは左利きの使用者に応じて切替バーの位置を切替えてもよく、或いは切替バーによって正逆回転弁を制御して正回転または逆回転に切替えてもよい。しかしながら、従来の気動工具の正逆切替装置は、前記弾性部材の付勢力によって、前記調整ボタンが切替バーに押圧されると共に、前記切替バーの係止部が前記正逆回転弁の位置決め部に取り付けられることができるが、前記弾性部材９６からの付勢力が弱くて、前記調整ボタンと切替バーをしっかりと固定することができない。故に、使用者が親指で前記弾性部材９６の付勢力により大きな力で前記切替バーを回せば、該切替バーが前記正逆回転弁から脱落して前記グリップの他側にずれてしまうことから、操作上非常に不便であって、また、気動工具が稼動している時に、その回転方向が突然に逆方向に回転してしまうのも非常に危険であった。さらに、前記切替バーを所定の位置に正確に切り替えられないため、長時間で使用しては壊れやすくなる。前記切替バーが長時間に亘る使用により磨耗すると、交換する必要があるが、この時、該切替バーは環状に形成されていることから、前記引き金、前記弾性部材、前記調整ボタンを順番に取り外さなければ交換できなく、これにより、交換やメンテナンスの時間及びコストが増加するので、改良する必要があった。
【課題を解決するための手段】
【０００５】
本考案にかかる気動工具の正逆切替装置は、中空状を呈するチューブであり、後端近傍の外周面に中空状の内部まで貫通するバルブ穴が形成されると共に、先端の外周面に係止部が軸方向に凸設される正逆回転弁と、前記正逆回転弁に着脱可能に結合され、係止爪部及びスイッチ棒部を備え、該係止爪部が前記係止部に係合されると共に、開口を有し、係止爪部における、前記正逆回転弁と反対する側に該開口と連通する係合凹溝が凹設され、前記係合凹溝と開口とが環状の構造となっており、該スイッチ棒部が、係止爪部の外周面における、前記開口と反対する側に延設される、切替バーとを備える、切替仕組みと、前記切替仕組みに結合され、回転可能且つ軸方向に摺動可能な調整ボタンを有し、該調整ボタンが環装管及び回転盤を備え、そのうち、環装管が前記係止部から正逆回転弁に挿し込まれ、前記環装管の外端が係止部から突出して係止爪部の前側まで延出し、前記回転盤が、前記係止爪部の前側に位置するように前記環装管の外端の外周面に設けられ、該回転盤における係止爪部側に環状の係止環部が軸方向に凸設され、該係止環部が、前記係合凹溝及び開口に嵌め込まれるように前記係止爪部の外周縁の近傍に環装され、該回転盤が前記係止部及び係止爪部と隣接するように配置される、速度調整仕組みと、前記切替仕組み及び速度調整仕組みに結合され、連結軸と、引き金と、弾性部材を有し、そのうち、該連結軸が前記正逆回転弁及び前記環装管を貫いてその外端が前記回転盤の前側から突出し、該引き金は、前記調整ボタンの前側に位置するように前記連結軸の外端に結合され、該引き金と調整ボタンの前記回転盤との間には間隙を有し、該弾性部材は、一端が前記回転盤に当接されると共に、他端が前記引き金に当接されるように、前記連結軸の調整ボタンから露出した部分に環装され、また、前記弾性部材により、前記引き金と調整ボタンの回転盤との間に前記間隙を保持すると共に、前記回転盤が係止爪部に押圧されて、前記回転盤の係止環部が前記係止爪部の係合凹溝及び開口に嵌め込まれるトリガ仕組みと、を有する。
【０００６】
かかる気動工具の正逆切替装置において、前記係止部は、多辺形の中空座体であり、その外周面に複数の係止凹面が形成され、前記係止爪部の正逆回転弁側に前記係止部の複数の係止凹面のうちの２つに係止される２つの係止面が設けられることが好ましい。
【０００７】
かかる気動工具の正逆切替装置において、前記正逆回転弁の外周面における係止部と隣接する箇所に保持構造が設けられ、該保持構造は、収容突起及びボールを備え、そのうち収容突起は、前記正逆回転弁の内部と連通するように前記正逆回転弁の外周面に径方向に凸設され、前記ボールは、一部が前記正逆回転弁の内部から突出するように前記収容突起に設置され、前記環装管における前記正逆回転弁に挿し込まれた部分の外周面に少なくとも２つのボール溝部が間隔をおいて軸方向に凹設され、前記保持構造のボールが、該ボール溝部のうちの１つに係止されて環装管に結合され、また、該環装管がボール溝部に沿って正逆回転弁に対して軸方向に摺動することが好ましい。
【０００８】
かかる気動工具の正逆切替装置において、前記切替バーにおける係止爪部の２つの自由端にそれぞれ、係止部の係止凹面のうちの１つに同時に当接される当接縁部が凸設され、前記係止爪部と係止部との係止構造を強化して前記切替バーを正逆回転弁に強固に係止させることが好ましい。
【０００９】
かかる気動工具の正逆切替装置において、前記正逆回転弁の外周面における、保持構造の近傍に挿設凹部が凹設され、気動工具の位置決めピンが前記挿設凹部に挿し込まれて正逆回転弁を気動工具に固定させることが好ましい。
【００１０】
かかる気動工具の正逆切替装置において、前記回転盤における、係止環部と反対する側に回転スピードを表示する複数の数字符号が付され、前記回転盤の外周面に複数の滑り止めリブが間隔をおいて凸設され、それらの滑り止めリブにより前記回転盤を回転しやすくすることが好ましい。
【００１１】
かかる気動工具の正逆切替装置において、前記回転盤における、係止環部と反対する側に、且つ、前記環装管の外端の周囲に位置するように環装凹部が凹設され、前記弾性部材は、一端が前記環装凹部に嵌め込まれるように、前記連結軸の前記調整ボタンから露出した部分に環装されることが好ましい。
【００１２】
かかる気動工具の正逆切替装置において、前記引き金が固定栓により前記連結軸の外端に組み合わされることが好ましい。
【考案の効果】
【００１３】
上述の構造によれば、本考案の気動工具の正逆切替装置は、以下に示すようなメリットを有する。
（１）回転方向の切替が可能：使用者が気動工具の正回転または逆回転を操作する時は、親指でスイッチ棒部を回せば、回転方向（正回転または逆回転）を自由に切替えることができるので、操作上非常便利である。また、引き金と調整ボタンとの間の弾性部材によって調整ボタンが係止爪部に押圧されるだけでなく、回転盤の係止環部が前記係止爪部の開口及び係合凹溝に嵌め込まれることから、使用者が親指で弾性部材の付勢力よりも大きな力を入れても前記切替バーが調整ボタンから脱落することはないと共に、切替バーがグリップの他側にずれることもない。故に、気動工具の回転方向を所定の位置に容易にかつ安全に切替えられることから、長時間で使用しても各部材が磨耗することはない。
（２）切替バーの位置変更が可能：使用者の利き手に応じて切替バーの位置を変更する場合には、調整ボタンが連結軸に沿って引き金へ摺動しながら弾性部材を押圧し、回転盤の係止環部を係止爪部の係合凹溝から離間させると、係止爪部が開口による係止部１２から解放されてから切替バーをグリップの他側に変更し、そして、調整ボタンを放すと、弾性部材によって回転盤の係止環部が再度係止爪部の係合凹溝に係止されることから、使用者の利き手に応じて利き手の親指で切替バーのスイッチ棒部を回して気動工具の回転方向を自在に切替えることができるので、切替バーの位置を変更することができ、使用上非常に便利で実用性が高い。
（３）回転スピードの調整が可能：使用者が回転盤により気動工具の回転スピードを調整する時は、保持構造のボールを環装管のボール溝部に係合させ、回転盤を所定の程度回転させることにより調整できるだけではなく、調整ボタンの回転しすぎによる過度な調整を防止できる。
（４）交換及びメンテナンス：切替バーを長時間に亘って使用したことによる磨耗の発生で交換を必要とした場合、切替バーの係止爪部にＵ字形の開口を備えることから、引き金や、弾性部材、調整ボタンをわざわざ取り外さなくても、簡単に正逆回転弁の係止部から取り外すことができるので、交換またはメンテナンスの時間やコストを節約することができる
【図面の簡単な説明】
【００１４】
【図１】本考案に係る気動工具の正逆切替装置が気動工具に装着された状態を示す斜視図である。
【図２】本考案に係る気動工具の正逆切替装置が気動工具に装着された状態の部分拡大断面図である。
【図３】本考案に係る気動工具の正逆切替装置を気動工具から取り外した状態を示す斜視図である。
【図４】本考案に係る気動工具の正逆切替装置が空気導引仕組みに装着された状態を示す部分断面図である。
【図５】本考案に係る気動工具の正逆切替装置と空気導引仕組みの分解斜視図である。
【図６】本考案に係る気動工具の正逆切替装置と空気導引仕組みの他の分解斜視図である。
【図７】本考案に係る気動工具の正逆切替装置の部分拡大平面断面図である。
【図８】本考案に係る気動工具の正逆切替装置の他の部分拡大平面断面図である。
【図９】本考案に係る気動工具の正逆切替装置においての、正逆回転の切替え操作を説明するための連続動作図である。
【図１０】本考案に係る気動工具の正逆切替装置においての、切替バーの位置変更の操作を説明するための連続動作図である。
【図１１】本考案に係る気動工具の正逆切替装置の他の実施例の部分斜視図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
本考案に係る気動工具の正逆切替装置は、図１に示すように、気動工具８０のグリップ８１とバレル８２との間に取り付けられ、図２及び図３に示すように、位置決めピン８１１により前記気動工具８０に固定される。また、前記気動工具８０のグリップ８１とバレル８２との間に空気導引仕組み８３が設置され、該バレル８２の内部に空気導引仕組み８３と連通するシリンダー部材（図に示せず）が設置される。また、本考案にかかる気動工具の正逆切替装置は、切替仕組みと、速度調整仕組みと、トリガ仕組みとを有する。なお、本考案に係る気動工具８０は、従来の技術であることから、正逆転を行うための空気通路がどのように配置されているかや如何なる作動原理により稼動するのかについては本考案の特徴ではないので、詳細な説明は省略する。切替仕組みトリガ仕組み
図４乃至図６に示すように、切替仕組みは、気動工具８０のグリップ８１に結合されるようにバレル８２の下方に配置されると共に、正逆回転弁１０及び切替バー２０を備え、そのうち、正逆回転弁１０は中空状を呈し、該バレル８２の内部と連通するようにグリップ８１の内部に取り付けられ、後端近傍の外周面に中空状の内部まで貫通して気動工具８０の空気導引仕組み８３と連通するバルブ穴１１が形成され、これにより、高圧空気が前記バルブ穴１１及び空気導引仕組み８３を通過して前記バレル８２のシリンダー部材に流入させて、前記気動工具８０を正回転（時計回り）または逆回転（反時計回り）させる。
【００１７】
また、図２に示すように、前記正逆回転弁１０の先端は、前記グリップ８１から突出すると共に、該正逆回転弁１０の先端の外周面に係止部１２が軸方向に凸設され、該係止部１２は多辺形の中空座体であり、図５及び図７に示すように、該係止部１２の外周面に複数の係止凹面１２１が形成されている。
【００１８】
図４、図５、図８に示すように、前記正逆回転弁１０は、その外周面における、係止部１２と隣接する箇所に保持構造１３が設けられ、該保持構造１３は、収容突起１３１及びボール１３２を備え、そのうち、収容突起１３１は、前記正逆回転弁１０の内部と連通する貫通穴が形成されるように前記正逆回転弁１０の外周面に径方向に凸設され、前記ボール１３２は、一部が前記正逆回転弁１０の内部に突出するように収容突起１３１の貫通穴に設置される。また、図２乃至図４に示すように、前記正逆回転弁１０の外周面における、保持構造１３の近傍に挿設凹部１４が凹設され、これにより、前記気動工具８０の位置決めピン８１１を前記挿設凹部１４に挿し込んで、前記正逆回転弁１０を前記グリップ８１に固定させる。
【００１９】
前記切替バー２０は、着脱可能に前記グリップ８１の一側に位置するように前記正逆回転弁１０に結合されると共に、係止爪部２１及びスイッチ棒部２２を備え、そのうち、係止爪部２１はＵ字形を呈し、該正逆回転弁１０の係止部１２に係合されると共に、開口２１０を有し、図６及び図７に示すように、該係止爪部２１の正逆回転弁１０側に、前記係止部１２の複数の係止凹面１２１のうちの２つに係止される２つの係止面２１１が設けられ、前記係止爪部２１における、正逆回転弁１０と反対する側に前記開口２１０と連通する係合凹溝２１２が凹設され、該係合凹溝２１２と開口２１０は環状の構造となっており、前記スイッチ棒部２２は、前記係止爪部２１の外周面における、開口２１０と反対する側に延設され、使用者が前記切替バー２０を回して操作すると、正回転または反回転に切替えることができる。
【００２０】
前記速度調整仕組は、前記切替仕組みに結合されるようにバレル８２の下方に配置され、回転可能且つ軸方向に摺動可能な調整ボタン３０を有し、該調整ボタン３０は、環装管３１及び回転盤３２を備え、そのうち、環装管３１は、中空状の管体であり、前記係止部１２から正逆回転弁１０に挿し込まれ、前記正逆回転弁１０に挿し込まれた部分の外周面に少なくとも２つのボール溝部３１１が間隔をおいて軸方向に凹設される。この構成によれば、図４及び図８に示すように、前記保持構造１３のボール１３２がボール溝部３１１のうちの１つに係止されて環装管３１に結合され、また、前記環装管３１が軸方向のボール溝部３１１を有することから、該各ボール溝部３１１に沿って前記正逆回転弁１０に対して軸方向に摺動し、前記環装管３１の外端（すなわち、前記正逆回転弁１０と反対する端）が前記係止部１２から突出して前記係止爪部２１の前側（すなわち、前記正逆回転弁１０と反対する側）まで延出する。
【００２１】
前記回転盤３２は、前記係止爪部２１の前側に位置するように前記環装管３１の外端近傍の外周面に設置されると共に、図２及び図４に示すように、前記回転盤３２は、前記係止部１２及び係止爪部２１と隣接するように配置され、該回転盤３２の前記係止爪部２１側に環状の係止環部３２１が軸方向に凸設され、該係止環部３２１は、前記係合凹溝２１２及び前記開口２１０に嵌め込まれるように前記係止爪部２１の外周縁の近傍に環装される。
【００２２】
更に、前記回転盤３２における、係止環部３２１と反対する側に回転スピードを表示するための複数の数字符号３２２が付され、前記回転盤３２の外周面に複数の滑り止めリブ３２３が間隔をおいて凸設され、これらの滑り止めリブ３２３を有すれば、使用者が前記回転盤３２を回転させやすくなる。また、図４及び図５に示すように、前記回転盤３２における、係止環部３２１と反対する側に環装凹部３２４が前記環装管３１の外端の周囲に位置するように凹設される。
【００２３】
前記トリガ仕組みは、前記切替仕組み及び速度調整仕組みに結合されるようにバレル８２の下方に配置されると共に、連結軸４０と、引き金５０と、弾性部材６０を有し、図２及び図４に示すように、該連結軸４０の内端は前記グリップ８１の内部に位置して前記空気導引仕組み８３の一部の部材に当接され、また、該連結軸４０は、空気導引仕組み８３、正逆回転弁１０、環装管３１、環装凹部３２４の中心位置に貫設され、前記連結軸４０の外端は前記回転盤３２の前側から突出する。一方、前記引き金５０は、前記調整ボタン３０の前側に位置するように前記連結軸４０の外端に結合される。尚、前記引き金５０は、固定栓５１により前記連結軸４０の外端に組み合わされることが好ましい。
【００２４】
図２及び図４に示すように、前記引き金５０と調整ボタン３０の回転盤３２との間には所定の距離を有し、前記弾性部材６０は、一端が前記環装凹部３２４に嵌め込まれるように前記回転盤３２に当接されると共に、他端が前記引き金５０に当接されるように、前記連結軸４０の調整ボタン３０から露出する部分に環装され、この弾性部材６０を有すれば、前記引き金５０と調整ボタン３０の回転盤３２との間における所定の距離を保持すると共に、前記回転盤３２が係止爪部２１に押圧されて、前記回転盤３２の前記係止環部３２１が係止爪部２１の係合凹溝２１２及び前記開口２１０に嵌め込まれる状態を維持することができる。
【００２５】
本考案に係る気動工具の正逆切替装置の操作方法を、図１により説明する。まず、使用者が右利きである場合には、その右手で気動工具８０のグリップ８１を握持し、右手の親指を切替バー２０の係止爪部２１に置き、気動工具８０を正回転または逆回転にする時、図９に示すように、親指でスイッチ棒部２２を回せば、前記気動工具８０の正回転または逆回転の設定を自在に切り換えることができる。
【００２６】
図２及び図４に示すように、引き金５０と調整ボタン３０との間に弾性部材６０が環装されることから、前記弾性部材６０によって、前記調整ボタン３０が係止爪部２１に押圧されて、回転盤３２の係止環部３２１が前記係止爪部２１の開口２１０及び係合凹溝２１２に嵌め込まれるので、使用者の前記スイッチ棒部２２を回すための力が前記弾性部材６０の付勢力より大きくなったとしても、前記切替バー２０と調整ボタン３０とが分離して脱落することはないと共に、該切替バー２０がグリップ８１と反対する側へずれることもない。故に、気動工具の正逆回転を便利かつ安全に操作することができ、また、正回転モードまたは逆回転モードに精確に切り換えられることから、正逆切替装置を長時間で使用しても各部材の磨耗が抑えられる。
【００２７】
一方、使用者が左利きの場合には、気動工具８０を操作する時、図４及び図１０に示すように、調整ボタン３０を連結軸４０の軸方向に沿って前記引き金５０へ移動させて弾性部材６０を押圧することによって、回転盤３２の係止環部３２１が係止爪部２１の係合凹溝２１２から離間すると共に、前記係止爪部２１が開口２１０により係止部１２から脱落するので、切替バー２０を正逆回転弁１０から取り外すことができ、また、図７に示すように、前記切替バー２０が係止爪部２１によってグリップ８１の他側から前記係止部１２の係止凹面１２１に係止するように取り付けられ、前記調整ボタン３０を放すと、前記回転盤３２の係止環部３２１が前記弾性部材６０の付勢力により再度前記係止爪部２１の係合凹溝２１２に嵌め込まれる。この構成によれば、左利きの使用者が左手の親指で切替バー２０のスイッチ棒部２２を回せば、前記気動工具８０を正回転または逆回転に操作することができるので、切替えが素早く且つ簡単である。
【００２８】
図４及び図８に示すように、回転盤３２により気動工具８０の回転スピードを調整する場合は、保持構造１３のボール１３２を環装管３１のボール溝部３１１に係合させれば、回転盤３２を所定の程度に回転させて調整できるだけでなく、調整ボタン３０が回転しすぎて大幅に調整されてしまうことを防止できる。また、前記切替バー２０の長時間の使用により磨耗が生じて交換の必要がある場合には、切替バー２０の係止爪部２１にＵ字形の開口２１０を備えることから、引き金５０と、弾性部材６０と、調整ボタン３０をそれぞれ取り外さなくても、前記切替バー２０を簡単に正逆回転弁１０の係止部１２から取り外すことができるので、交換またはメンテナンスの時間やコストを節約することができる。
【００２９】
さらに、図１１に示すように、本考案にかかる気動工具の正逆切替装置における他の実施例は、図１乃至図８に示した実施例と殆ど同一であるが、以下の点において異なる。つまり、本実施例における切替バー２０’の係止爪部２１’の２つの自由端にそれぞれ、同時に係止部１２の係止凹面１２１のうちの１つに当接される当接縁部２１３’が凸設され、この構成によれば、前記係止爪部２１’と係止部１２との係止構造を強化することができ、且つ前記切替バー２０’を強固に正逆回転弁１０に係止することができる。
【符号の説明】
【００３０】
１０   正逆回転弁
１１   バルブ穴
１２   係止部
１２１ 係止凹面
１３   保持構造
１３１ 収容突起
１３２ ボール
１４   挿設凹部
２０、２０’  切替バー
２１、２１’  係止爪部
２１０ 開口
２１１ 係止面
２１２ 係合凹溝
２１３’      当接縁部
２２   スイッチ棒部
３０   速度調整ボタン
３１   環装管
３１１ ボール溝部
３２   回転盤
３２１ 係止環部
３２２ 数字符号
３２３ 滑り止めリブ
３２４ 環装凹部
４０   連結軸
５０   引き金
５１   固定栓
６０   弾性部材
８０   気動工具
８１   グリップ
８１１ 位置決めピン
８２   バレル
８３   空気導引仕組み
【図１】
0003206919.tif 000003
【図２】
0003206919.tif 000004
【図３】
0003206919.tif 000005
【図４】
0003206919.tif 000006
【図５】
0003206919.tif 000007
【図６】
0003206919.tif 000008
【図７】
0003206919.tif 000009
【図８】
0003206919.tif 000010
【図９】
0003206919.tif 000011
【図１０】
0003206919.tif 000012
【図１１】
0003206919.tif 000013